(57)【要約】  本発明は、拭き取りシステム（２）のワイパーブレードと液体循環手段との間に設置されるようになっている、液体を輸送して加熱するための装置（１５）であって、少なくとも１つの液体循環ダクト（２２，２３）を画定する壁（２１）と、異なる電位に設定される２つの端子のセットを連結するようになっている電気回路とを備えるとともに、前記壁（２１）に埋め込まれる加熱要素を備える、装置（１５）において、前記電気回路の少なくとも一部が、前記電気回路内を流れる電流を温度上昇に応じて制限するように構成される自動調整ケーブル（３０）によって形成される装置（１０）に関する。本発明は、自動車両に用いられ得る。
2019503304.tif 000002
【特許請求の範囲】
【請求項１】
拭き取りシステム（２）のワイパー（６）と液体循環手段（１２）との間に設置されるようになっている液体を輸送して加熱するための装置（１０，１５，１８）であって、少なくとも１つの液体循環ダクト（２２，２３）を画定する壁（２１）と、異なる電位に設定される２つの端子を連結するようになっている電気回路とを備えるとともに、前記壁（２１）に埋め込まれる加熱要素を備える、装置（１０，１５，１８）において、前記電気回路の少なくとも一部は、前記電気回路内を流れる電流を温度上昇に応じて制限するように構成される自動調整ケーブル（３０，１３０，２３０）によって形成されることを特徴とする装置（１０，１５，１８）。
【請求項２】
前記ケーブル（３０，１３０，２３０）は、異なる電位に至らされて半導体マトリックス（３３，１３３）によって互いに連結される少なくとも２本の導電加熱ワイヤ（２５，２６，１２５，１２６，２２５，２２６）を備える請求項１に記載の装置。
【請求項３】
前記導電ワイヤ（２５，２６，１２５，１２６，２２５，２２６）のうちの少なくとも１つは、絶縁ファイバ（２７）の周囲に螺旋状に巻回される少なくとも１つの導電ストランド（２８）を備える請求項２に記載の装置。
【請求項４】
前記導電ワイヤは、前記絶縁ファイバの周囲に螺旋状に巻回される少なくとも３つの並置されるストランド（２８）を備える請求項３に記載の装置。
【請求項５】
前記螺旋のピッチが５ｃｍの長さにわたって１〜１０巻回である請求項３又は４に記載の装置。
【請求項６】
前記自動調整ケーブルが２本の加熱ワイヤ（２５，２６）と半導体マトリックス（３３）とによって形成され、前記２本のワイヤが前記ダクト（２２，２３）と平行に前記ダウトから等距離を隔てて延在する請求項１から５のいずれか一項に記載の装置。
【請求項７】
平面に対して互いに対称な２つの円筒状の液体循環ダクトを備え、前記自動調整ケーブルが前記平面内に位置され、前記半導体マトリックスは、断面において、前記２つのダクトの断面の重心を連結するラインの両側で延在する請求項６に記載の装置。
【請求項８】
前記自動調整ケーブル（１３０）は、２本の加熱ワイヤ（１２５，１２６）と半導体マトリックス（１３３）とによって形成され、前記２本のワイヤが同心的であり、前記マトリックスが前記２本のワイヤ間にある間隔を隔てて位置される請求項３から５のいずれか一項に記載の装置。
【請求項９】
内側の前記加熱ワイヤ（１２６）は、前記絶縁ファイバ（２７）の周囲に螺旋状に巻回される前記導電ストランド（２８）を備える請求項８に記載の装置。
【請求項１０】
外側の前記加熱ワイヤ（１２５）は、前記半導体マトリックス（１３３）の周りに螺旋状に巻回される少なくとも１つの導電ストランド（２８）を備える請求項８又は９に記載の装置。
【請求項１１】
平面に対して互いに対称な２つの円筒状の液体循環ダクトを備え、前記自動調整ケーブルは、前記加熱要素を構成するとともに、前記２つのダクトの断面の重心を連結するライン上に位置される請求項８から１０のいずれか一項に記載の装置。
【請求項１２】
前記自動調整ケーブル（２３０）は、前記加熱要素を構成するとともに、半導体マトリックスにコーティングされる２本の加熱ワイヤ（２２５，２２６）によって形成され、前記各加熱ワイヤが絶縁ファイバ（２７）の周囲に螺旋状に巻回される導電ストランド（２８）を備え、前記２本のワイヤが互いにねじられる請求項３から５のいずれか一項に記載の装置。
【請求項１３】
平面に対して互いに対称な２つの円筒状の液体循環ダクトを備え、前記自動調整ケーブルが前記２つのダクトの断面の重心を連結するライン上に位置される請求項１２に記載の装置。
【請求項１４】
少なくとも１つの自動調整ケーブル（３０ａ）を備え、そのうちの前記少なくとも２本の導電ワイヤ（３１）のうちの第１の導電ワイヤが前記電気回路の端子に連結され、前記少なくとも２本の導電ワイヤ（３２）のうちの第２の導電ワイヤが前記加熱要素（２５，２６）の端部に連結される請求項２から１０のいずれか一項に記載の装置。
【請求項１５】
前記自動調整ケーブル（３０ａ）の少なくとも一部も液体の循環に対して前記加熱要素（２５，２６）の下流側で前記壁（２１）に埋め込まれる請求項１４に記載の装置。
【請求項１６】
請求項１から１５のいずれか一項に記載の前記液体を輸送して加熱するための装置（１０，１５，１８）を備えるウインドスクリーンウォッシャー液を輸送するためのパイプライン。
【請求項１７】
少なくとも１つのタンク（１１）と、液体循環手段（１２）と、前記液体を噴射するための手段と、請求項１６に記載のパイプラインとを備える車両の窓上へ噴射されるべきウインドスクリーンウォッシャー液を供給する及び／又は分配するためのシステム（９）。
【発明の詳細な説明】
【技術分野】
【０００１】
本発明の技術分野は、自動車両用のウインドスクリーンウォッシャー液を供給及び／又は分配するためのシステムの技術分野である。そのようなシステムは、車両のフロントウィンドウ及び／又はリアウィンドウを拭き取るための設備を補完する。特に、本発明は、タンクと噴射システムとの間で液体を輸送して加熱するための装置を対象とする。
【背景技術】
【０００２】
自動車両は、一般に、ウインドスクリーンの拭き取り及び洗浄を確保し、したがって、ドライバーがその環境に関して有する視野に支障を来さないようにするべく、拭き取り設備と洗浄システムとを備える。これらの拭き取り設備は、角度のある往復運動を行なうアームを備え、該アームの端部には長尺なブラシが設置され、それらのブラシ自体が弾性材料で形成されたワイパーを支持する。これらのブレードは、ウインドスクリーンに擦り付き、水をドライバーの視野外へ移動させることによって水を払い去る。
【０００３】
洗浄システムは、それらとしては、車両上に位置されるタンクから経路付けられて一般にボンネット上に位置されるスプレーノズルによってウインドスクリーンへ向けて噴射されるウインドスクリーンウォッシャー液をウォッシャー液のより良い分配のためにウインドスクリーンベイ格子上に又はウインドスクリーンワイパー自体上にもたらすための装置を備える。ワイパー上に配置されるノズルの場合、ウインドスクリーンウォッシャー液は、ワイパー間に分配される前に、ワイパーアーム上に固定されるパイプラインによって経路付けられる。
【０００４】
外気温が低すぎると、例えば５℃未満の場合、ウインドスクリーンウォッシャー液は、該ウォッシャー液を解凍する又は液体に保つために加熱される。そのために、パイプラインは、ウインドスクリーンウォッシャーの制御が作動される瞬間にポンプによってタンクから引き出されたウインドスクリーンウォッシャー液を再加熱するための装置を備える。
【０００５】
輸送ダクト内の液体の加熱は、ダクトに隣接して又はダクトの内側で延びる加熱要素によって確保される。この構成は、加熱要素によって消散される温度が周囲温度にかかわらず常に同じエネルギーを散逸する加熱に起因するという大きな欠点を有する。このとき、液体ダクト内で達せられる温度は、異常に上昇して、前記ダクトの材料、特にゴム又はプラスチックの耐性に関する又はウインドスクリーンウォッシャー液の蒸発に関する問題を構成する値に達し得る。例えば、＋５℃の外気温度における３０分間にわたるアイドリング時の動作などの最も過酷なケースでは、加熱パイプ内の液体の温度が１６０℃に達し得る。したがって、そのような温度がパイプ内に収容される水にとって及びゴムの可撓性及び水密性にとって問題であることが分かる。
【発明の概要】
【０００６】
したがって、本発明の目的は、主に、閉ループモードで作動する車両のウインドスクリーンウォッシャー液を供給する及び／又は分配するためのシステムのための加熱装置、すなわち、車両の使用条件が何であれ、液体が到達する温度を簡単且つ安価に調整することができる加熱装置を提供するによって前述した欠点を解決することである。加熱装置は、とりわけ、ウインドスクリーンワイパーアームに組み込まれるように十分に小型化されなければならず、また、それがこのウインドスクリーンワイパーアームの動きに起因する引っ張り変形又は曲げ変形を受け入れることができる十分な可撓性を保たなければならない。
【０００７】
したがって、本発明の主題は、拭き取りシステムのワイパーと液体循環手段との間に設置されるようになっている液体を輸送して加熱するための装置であって、少なくとも１つの液体循環ダクトを画定する壁と、異なる電位に設定される２つの端子を連結するようになっている電気回路とを備えるとともに、前記壁に埋め込まれる加熱要素を備える、装置において、前記電気回路の少なくとも一部は、電気回路内を流れる電流を温度上昇に応じて制限するように配置される自動調整ケーブルによって形成されることを特徴とする装置である。
【０００８】
サーモスタットとして作用する電気回路内の自動調整ケーブルの存在は、閉ループモードで動作できるようにするとともに、輸送加熱装置における温度上昇を所定の値に制限できるようにする。したがって、ウインドスクリーンウォッシャー液の蒸発や、装置を構成する材料の劣化の危険性はもはやない。
【０００９】
優先的には、前記自動調整ケーブルは、異なる電位に至らされる少なくとも２つの導電加熱ワイヤを備える。前記ワイヤは、例えば、半導体マトリックスによって互いに連結される。
【００１０】
好適には、前記導電ワイヤのうちの少なくとも１つは、絶縁ファイバの周囲に螺旋状に巻回される少なくとも１つの導電ストランドを備える。この構成は、自動調整ケーブルに可撓性を与えるとともに、ワイパーアームの往復運動によって課せられる引っ張り力及び曲げ力に自動調整ケーブルが耐えることができるようにする。
【００１１】
好適には、導電ワイヤは、前記絶縁ファイバの周囲に螺旋状に巻回される少なくとも３つの並置されたストランドを備える。
【００１２】
優先的には、螺旋のピッチが５ｃｍの長さにわたって１〜１０巻回である。これらの値は、それらが自動調整ケーブルの抵抗率に及ぼす影響により、許容限界値を下回ったままの温度を得ることができるようにする。
【００１３】
第１の実施形態において、自動調整ケーブルは、加熱要素を構成するとともに、２本の加熱ワイヤと半導体マトリックスとによって形成される。２本のワイヤは、好適には、前記ダクトと平行に及び／又は前記ダクトから等距離を隔てて延在する。この構成により、加熱要素を形成する半導体マトリックスは、液体が内部で循環する１又は複数のダクトに沿って延在する。
【００１４】
好適には、前述の装置は、平面に対して互いに対称な２つの円筒状の液体循環ダクトを備え、自動調整ケーブルが前記平面内に位置される。前記半導体マトリックスは、断面において、例えば、２つのダクトの断面の重心を連結するラインの両側で延在する。したがって、ケーブルは、その熱をダクトの断面全体にわたって放射するように配置される。
第２の実施形態において、自動調整ケーブルは、加熱要素を構成するとともに、２本の加熱ワイヤと半導体マトリックスとによって形成され、２本のワイヤが同心的であり、マトリックスが２本のワイヤ間にある間隔を隔てて位置される。
【００１５】
優先的には、内側の加熱ワイヤは、前述の絶縁ファイバの周囲に螺旋状に巻回される導電ストランドを備える。
【００１６】
より優先的には、外側の加熱ワイヤは、前記半導体マトリックスの周りに螺旋状に巻回される少なくとも１つの導電ストランドを備える。
【００１７】
好適には、装置は、平面に対して互いに対称な２つの液体循環ダクトを備え、この平面内で自動調整ケーブルが２つのダクトの断面の重心を連結するライン上に位置される。ここでも同様に、ケーブルは、その熱をダクトの断面全体にわたって放射するように配置される。
【００１８】
第３の実施形態において、自動調整ケーブルは、加熱要素を構成するとともに、半導体マトリックスにコーティングされる２本の加熱ワイヤによって形成され、また、各加熱ワイヤが絶縁ファイバの周囲に螺旋状に巻回される導電ストランドを備え、２本のワイヤが互いにねじられる。
【００１９】
ここでも同様に、装置は、好適には、平面に対して互いに対称な２つの円筒状の液体循環ダクトを備え、自動調整ケーブルが２つのダクトの断面の重心を連結するライン上に位置される。第４の実施形態では、装置が少なくとも１つの自動調整ケーブルを備え、そのうちの前記少なくとも２本の導電ワイヤのうちの第１の導電ワイヤが前記電気回路の端子に連結され、また、前記少なくとも２本の導電ワイヤのうちの第２の導電ワイヤが前記加熱要素の端部に連結される。
【００２０】
ここで、自動調整ケーブルは、サーモスタットとしてのみ作用し、加熱機能を果たす必要はない。好適には、到達可能な最高温度を表わす領域内に配置されると、自動調整ケーブルは、サーモスタット機能のためだけに寸法付けられるべきであり、したがって、殆どかさばらず、コストを低減できる。
【００２１】
好適には、自動調整ケーブルの少なくとも一部も液体の循環に対して加熱要素の下流側で壁に埋め込まれる。
【００２２】
それにより、液体の温度に直接に基づくことによって自動調整ケーブルにより行なわれる電圧破壊を設定し、例えば１００℃で破損してスチームポケットの発生を回避することができる。
【００２３】
また、本発明は、前述のような輸送加熱装置を備えるウインドスクリーンウォッシャー液を輸送するためのパイプラインに関する。
【００２４】
また、本発明は、少なくとも１つのタンクと、液体循環手段と、前記液体を噴射するための手段と、ウインドスクリーンウォッシャー液を輸送するためのそのようなパイプラインとを備える車両の窓上へ噴射されるべきウインドスクリーンウォッシャー液を供給する及び／又は分配するためのシステムに関する。
【００２５】
本発明の他の特徴、詳細、及び、利点は、図面に関連して例示として以下で与えられる説明を読むとより明確に分かってくる。
【図面の簡単な説明】
【００２６】
【図１】拭き取り設備、及び、本発明に係る少なくとも１つの液体輸送加熱装置を備える、ウインドスクリーンウォッシャー液を供給する及び／又は分配するためのシステムの概略図である。
【図２】ウインドスクリーンウォッシャー液輸送パイプラインのゴムに埋め込まれた、従来技術に係る輸送加熱装置の断面図である。
【図３】自動調整ケーブルの正面図である。
【図４】ウインドスクリーンウォッシャー液輸送パイプラインのゴムに埋め込まれた、本発明の第１の実施形態に係る輸送加熱装置の断面図である。
【図５】本発明に係る自動調整ケーブルの加熱ワイヤの断面図である。
【図６】図４のワイヤの斜視図である。
【図７】ウインドスクリーンウォッシャー液輸送パイプラインのゴムに埋め込まれた、本発明の第２の実施形態に係る輸送加熱装置の断面図である。
【図８】本発明の第３の実施形態のための自動調整ケーブルの正面図である。
【図９】ウインドスクリーンウォッシャー液輸送パイプラインのゴムに埋め込まれた、本発明の第３の実施形態に係る輸送加熱装置の断面図である。
【図１０】本発明に係る装置により供給される加熱電力の、装置の温度に応じた傾向を表わす図である。
【図１１】本発明の第４の実施形態に係る輸送加熱装置の概略図である。
【図１２】本発明の第４の実施形態の変形例に係る輸送加熱装置の概略図である。
【発明を実施するための形態】
【００２７】
図１は、拭き取り設備２によって拭き取られるようになっている自動車両のウインドスクリーン１を示す図である。拭き取り設備２は第１のアーム３と第２のアーム４とを備え、これらのアームのそれぞれは例えば回転軸５に連結される。これらの２つのアームは、組み合わされた又は反対の往復運動にしたがいウインドスクリーン１上にわたって動く。
【００２８】
第１のアーム３及び第２のアーム４に対して軸５と反対側にある端部にはワイパー６があり、このワイパーの機能は、ウインドスクリーンを擦って、ウインドスクリーン上に存在する水又は他の物体を視界を妨げないウインドスクリーンの領域へと押し戻すことである。これらのワイパー６は、取り外し可能なコネクタによって各アームに連結され、コネクタは、ワイパーが摩耗したときにワイパーの交換を可能にする。
【００２９】
ワイパーはそれぞれ、例えば、ウインドスクリーンウォッシャー液を噴射するための２つの分配器を備える。これらの分配器は、ワイパー６の長手方向軸と同じ軸において長手方向に延びる。これらの分配器は、矢印７により示される第１の移動方向又は矢印８により示される第２の移動方向にブレードが移動しているかどうかにかかわらずブレードの前方にウインドスクリーンウォッシャー液を噴射するために、ワイパーの両側に配置される。
【００３０】
図１に示されるように、本発明は、車両に設けられるウインドスクリーンウォッシャー液を供給及び／又は分配するためのシステム９に関する。分配器がこの液体を噴射するためには、ウインドスクリーンウォッシャー液貯留装置と、貯留装置と分配器との間でこの液体を輸送するための手段と、分配器に向けてこの液体を循環させるための手段とを有する必要がある。
【００３１】
この供給及び／又は分配システム９は、特に、
−液体保持タンク１１と、
−供給及び／又は分配システム内で液体を循環させるための手段１２、特にポンプと、
−ポンプを液体輸送加熱装置１０に連結するようになっている少なくとも１つの液圧カップリング１３と、
−ポンプに連結される第１の部分１８とワイパー６のそれぞれに連結される第２の部分１５とを備える液体輸送パイプライン１０と、
−輸送パイプラインの前記第１の部分１８及び前記第２の部分１５に設置される結合装置１４と、
−結合装置１４と、前述の液体パイプライン１０に埋め込まれる加熱要素及びワイパーに組み込まれる加熱要素に給電する１つ以上の電気コネクタとを機械的に一緒にグループ化することができる支持体１６と、
−液体輸送パイプライン１０とワイパー６のコネクタとの間に設置される液圧コネクタ１７と、
を備える。
【００３２】
また、本発明は、液体を輸送して加熱するための装置に関する。特に、この装置は、パイプライン１０の第２の部分１５に埋め込まれるように設計されるが、前記第２の部分と共に又は共にではなくパイプライン１０の第１の部分１８に埋め込むこともできる。
【００３３】
図１の例において、液体輸送加熱パイプラインの第１の部分１８は、液体が内部で循環できる２つのパイプ１９，２０を備え、各パイプは、１又は複数のワイパーによって支持される２つの分配器のうちの１つへの供給に対応する。これらのパイプは、本発明に係る液体輸送加熱装置のそれぞれと、最終的に２つのウインドスクリーンワイパーとに別々に供給するために結合装置１４で２つに分割される。液体輸送加熱装置はそれぞれ、例えば、図２において分かるように、２つの内部液体循環ダクト２２，２３を備える可撓性チューブの形態を成して形成され、各内部ダクトは、ワイパーの特定の移動方向のためのウインドスクリーンウォッシャー液の供給に対応する。そのようなチューブを形成する材料は、例えば、エラストマー又はゴムであってもよい。
【００３４】
また、この液体輸送加熱装置１０は、その構成材料中に埋め込まれることによって、パイプ及びチューブに沿って延びる加熱要素（図１には見えない）も備える。そのような加熱要素は、従来技術では第１及び第２の導電性ワイヤの形態を成す抵抗要素であり、第１及び第２の導電性ワイヤは、それらに電流が通過する際に熱量を放出する。したがって、この加熱要素は、液体輸送加熱装置がそこからエネルギーを引き出すとともに液体がある又は液体が循環する空間の全体にわたって放散する熱源を形成することが理解される。
【００３５】
図２は、液体輸送加熱装置の内側の加熱装置の従来技術にしたがった埋め込みの詳細を示す。各チューブ１５は、第１のダクト２２を第２のダクト２３から分離する中央壁２１を備える。
【００３６】
加熱要素は、第２の導電ワイヤ２６と平行に延びる第１の導電ワイヤ２５を備える。これらの２本のワイヤは、それらの先端で、すなわち、ワイパーの高さで、互いに連結されて、ここで表わされる従来技術では、電気加熱電流のためのループの形態を成す往復路ケーブルを形成する。これらのワイヤは、例えば、互いに分離されるとともに電圧が９ボルト〜１６ボルトで且つ強さが１．５〜１０アンペアの電流の通過時に熱量を放出するように寸法付けられる銅又はアルミニウム合金から形成される２本のワイヤである。これらの２本のワイヤは、壁２１に埋め込まれ、好適には各ワイヤに専用のシースで覆われ得る。埋め込みとは、例えば、壁２１の構成材料が加熱要素を完全に取り囲むという事実を意味すると理解されるべきである。
【００３７】
ここで、図３を参照すると、自動調整ケーブル３０が見える。このケーブルは２本の導電ワイヤ３１，３２から構成され、これらの導電ワイヤ３１，３２は互いに平行に延びる一連の編組ストランドから構成され、これらの導電ワイヤ３１，３２間には所定の電圧差が印加され、２つの導体はそれらの先端でループ状に連結されない。導電ワイヤ間に、加熱要素を構成する炭素を多く含む高分子マトリックス３３が延在する。ケーブルアセンブリは、最終的に、電気絶縁性であるが断熱性ではない保護シース３４内に配置される。炭素を多く含んで、半導体として作用する、すなわち、その内部構造の拡張によりその温度が上昇するにつれてその抵抗率が増加する前記マトリックスを通じて、加熱を確保する電流が一方の導体から他方の導体へと流れる。また、この拡張は、電流が流れるために利用できる空間の減少をもたらす。
【００３８】
その結果、その温度が上昇すると、ケーブルによって消散される電力が減少し、それにより、消散電力の自動調整が確保される。したがって、動作時、ケーブルは、常に、それが消散する電力と外部環境に起因する損失との間の平衡に達する。それにより、通常、ケーブル又は周囲材料を劣化させ得る任意の過熱が回避される。更に、マトリックスの抵抗率は、その温度に伴いケーブルに沿って可変であり、それにより、より寒い環境でその長さにわたって配置されるケーブルの部分は、この領域でより多くのエネルギーを伝えることができる。したがって、ケーブルの全ての部分に関して、それらが位置される温度環境がどんな環境であっても、ケーブルの温度の自己適応がなされる。
【００３９】
本発明は、そのようなケーブルを使用し、ウインドスクリーンワイパーを小型化するとともにウインドスクリーン上の輸送装置の往復運動によりもたらされる引っ張り及び曲げの両方の応力をウインドスクリーンワイパーが受け入れるようにウインドスクリーンワイパーを適合させることによって、ウインドスクリーンワイパーに送られる液体の加熱を確保することを提案する。
【００４０】
図４は、本発明の第１の実施形態にしたがって、ウインドスクリーンウォッシャー液輸送加熱装置の壁２１に埋め込まれる加熱ケーブル３０を示す。自動調整加熱ケーブル３０は、２本の加熱ワイヤ２５，２６とそれらを電気的に連結する半導体マトリックス３３とから構成され、自動調整ケーブルも絶縁シースによって保護される。加熱ケーブル３０は断面において長尺形状を有し、その大きい寸法は壁２１の方向に向けられる。このことは、自動調整ケーブルによってもたらされる加熱が第１及び第２の液体循環ダクト２２，２３間に位置される壁の高さ全体にわたって放射することを意味する。したがって、それにより、前記壁２１の端部に近い２つのポイントから熱が放射された図２の従来技術の場合よりもかなり良好な液体の加熱が確保される。
【００４１】
好適には、自動調整加熱ケーブルの加熱ワイヤ２５，２６のそれぞれは、図示しない電気コネクタに接続されるようになっている電気回路の端子に連結される端部を有し、同様に図示しない車両に埋め込まれる電源によって加熱ワイヤ２５，２６間に電圧差をもたらす。同様に図示しない従来の導電性ケーブルは、車両上のこれらの要素の相対位置にしたがってコネクタを加熱ワイヤに連結することができる。
【００４２】
ここで図５及び図６を参照すると、これらの図は、加熱ワイヤ２５，２６の形態に関して本発明により採用される構造を示し、これらの構造により、加熱ワイヤは、引張応力及び曲げ応力に耐えることができる。各ワイヤは、絶縁ファイバ２７として形成される円筒状のコアから成り、このファイバ上に金属ストランド２８が螺旋状に巻回される。３本存在するがこの数が必須ではないこれらのストランドは、互いに取り付けられ、また、これらのストランドは、絶縁ファイバ２７に沿って螺旋を形成する。この螺旋のピッチは、図１０を参照して後述するように、ウインドスクリーンウォッシャー液加熱ケーブル３０の温度にとって望ましい自動調整性能に応じて可変である。ピッチの増加は、実際には、同じ温度では、加熱電力の低下をもたらす。ここでは電気絶縁シース２９が中心ファイバ２７及び螺旋ストランド２８を覆って正しく構成された加熱ワイヤを外部の攻撃から保護する。螺旋構造は、自動調整ケーブル３０に対してかなりの長手方向の可撓性を与え、一方、編組構造は、ウインドスクリーンウォッシャー液輸送加熱装置における用途にあまり適さない長手方向の剛性を示す。
【００４３】
図７は、本発明に係る輸送加熱装置１５の第２の実施形態を示す。輸送加熱装置は、先のケースと同様に、ウインドスクリーンウォッシャー液供給チューブの中央壁２１に位置される自動調整ケーブル１３０を備える。このケーブルは、同心的に位置される２本の加熱ワイヤ１２５，１２６から構成される。それらの加熱ワイヤはいずれも支持ファイバの周囲に螺旋状に装着される金属ストランドによって形成される。内側ワイヤ１２５のストランドは、図５の形態と同様の構成で、絶縁中心ファイバ１２７上に巻回され、一方、外側ワイヤ１２６のストランドは、例えば第１の実施形態の半導体マトリックス３３と同様であるが円筒形状を成す半導体マトリックス１３３から構成される円筒体上に螺旋状に巻回される。アセンブリは、チューブ１５の中央壁に埋め込まれる前に、電気絶縁シース１３４内に収容される。
【００４４】
最後に、図８及び図９は第３の実施形態を示す。２本の加熱ワイヤ２２５，２２６はいずれも図５に示される構造にしたがって形成され、すなわち、これらの加熱ワイヤは金属ストランドによって形成され、該金属ストランドはそれぞれ絶縁ファイバ２２７上に螺旋状に巻回された後に半導体材料から形成されるシース２３３に埋め込まれる。これらの金属ストランドは、その後、ねじれケーブル２３０を形成するように互いに上下に巻き付けられる。
【００４５】
図１０は、導電ワイヤ間の所定の電位差に関し、加熱ケーブル３０，１３０，２３０によって供給される加熱電力をその温度の関数として線図で示す。太線の曲線は、従来技術における電力消散を示し、この場合、電力は、導電ワイヤのほぼ不変の抵抗率に起因して実質的に一定のままである。このため、加熱段階中に加熱ケーブルの温度が規則的に上昇し、ウインドスクリーンウォッシャー液の蒸発及びゴムの弾性品質の損失に関して既に示されたリスクを伴う。
【００４６】
それに対し、本発明では、半導体マトリックス３３により放出される加熱電力が加熱段階中に増大しない。加熱電力は、例えば、特定の合金では一定であり、又は、加熱段階中に規則的に減少する。
【００４７】
対角線上に位置される正方形を伴う曲線は、５ｃｍの伸びごとに１．５巻回のピッチで絶縁ファイバ２７上に螺旋状に巻き付けられるストランド２８の場合の電力の傾向を与え、一方、直立に位置される正方形を伴う曲線は、５ｃｍにわたって８巻回の螺旋の場合のこの電力の傾向を与える。これらの２つの螺旋ピッチ値の場合には、ケーブルの温度が７０℃に達するときに供給電力が実際に相殺されることが分かる。したがって、本発明は、ケーブルの温度を７０又は７５℃に制限できるようにし、そのため、ウインドスクリーンウォッシャー液を蒸発させないようにすることができるとともに、このウォッシャー液を輸送するチューブを形成するために使用されるエラストマーの品質も低下させないようにすることができる。温度のこの制限は、車両の極端な使用状態でケーブルの温度を制限するために導電ワイヤに印加される電圧を調整するための装置を組み込む必要なく、完全に独立して行なわれる。
【００４８】
最終的に、本発明は、２本の加熱ワイヤ間に配置されて輸送加熱装置１０の中央壁に埋め込まれる半導体マトリックスによって有利に形成されるケーブルの使用によって特徴付けられる。また、この自動調整ケーブル３０，１３０，２３０のその長手方向の引っ張り力又はこの長手方向に直角な軸に作用する曲げ力に対する抵抗を得るために、加熱ワイヤは、ファイバ２７の周囲に螺旋状に巻回される金属ストランド２８の形態で優先的に形成される。金属ストランドの螺旋形状は、ケーブルに求められる変形の自由度を与えるとともに、螺旋のピッチの変調によって、このケーブルが供給される加熱電力に応じて達する限界温度の値を調整できるようにする。いずれにしても、ケーブルの温度は、ケーブルの温度の自動調整の効果により、加熱電力が増加するときに限界値に達する。
【００４９】
また、第４の実施形態は、自動調整ケーブルを通じて流れる電力のケーブルの温度による自動調整のこの効果を使用して、従来の加熱要素による加熱を制限する。
【００５０】
図１１はそのような実施形態の１つを示す。この例において、各チューブ１５は、図２に関して既に説明した従来技術にしたがって、チューブ１５の壁２１に埋め込まれてそれらの先端で連結される２本の加熱ワイヤ２５，２６によって形成される加熱要素を備える。各加熱ワイヤの自由端は、図１に関連して説明したように、供給及び／又は分配システム９の例えば結合装置１４でチューブから抜け出る。
【００５１】
加熱要素２５，２６を作動させるために、該加熱要素は、車両の電気コネクタ４０の第１の端子４０ａと第２の端子４０ｂとの間にループを形成する電気回路に含まれ、これらの端子を電源に連結することにより、端子間に電位差を確立できる。
【００５２】
好適には、決定される長さ及び電気特性を有する自動調整ケーブル３０ａが第１の加熱ワイヤの自由端と従来の導電ケーブル４１ａとの間に配置され、それにより、電気回路の第１の端子４０ａに連結される抵抗損失が最小限に抑えられる。
【００５３】
自動調整ケーブルは、前述の変形例のうちの１つにしたがって形成され得る。例として、以下では、図３に関連して与えられた説明に言及する。したがって、このケーブル３０ａは、炭素を多く含むマトリックスによって分離される第１の導電ワイヤ３１及び第２の導電ワイヤ３２を備える。ここで、自動調整ケーブル３０ａの一端では、第１の導電ワイヤ３１が加熱ワイヤ２５の自由端に連結され、また、自動調整ケーブル３０ａの他端では、第２の導電ワイヤ３２が導電ケーブル４１ａに連結される。
【００５４】
自動調整ケーブル３０ａのワイヤ３１，３２と加熱ワイヤ２５及び導電ケーブル４１ａとの接続は、当業者に知られる圧着接続部４２ａ、４３ａによって効率的に且つ経済的にもたらされ得る。これらの接続部を取り外し可能にする必要はない。
【００５５】
好ましくは、第２の加熱ワイヤ２６の自由端と電気回路の第２の端子４０ｂとの間の第２の自動調整ケーブル３０ｂによって同様の設定が行なわれる。
【００５６】
図１の記述で説明されたように、加熱ワイヤ２５，２６の自由端部が抜け出る接続要素１４は、一般に、ウインドスクリーンに近接してボンネットの下方に位置されるが、風から保護される。したがって、自動調整ケーブルは、環境条件に伴って変化してダクト１５で直面される温度条件よりも一般に高い温度条件にそれらが晒される場所に位置される。
【００５７】
そのため、自動調整ケーブルは、環境条件がチューブ１５内の洗浄液輸送加熱装置の過熱を引き起こす危険があるときに自動調整ケーブルの抵抗率が変化して加熱要素のワイヤ２５，２６を通じて流れる電流を制限するように寸法付けられる。これに対し、温度が低下して過熱の危険がないときには、自動調整ケーブルが公称電力が通過できるようにし、それにより、液体の加熱を確保でき、特に、ダクト１５の除霜を確保できる。
【００５８】
図示しない変形例において、従来の加熱要素２５，２６は、接続装置１４の前で、液体輸送加熱装置１０の第１の部分１８に設置される。自動調整ケーブル３０ａ、３０ｂは、加熱されたばかりの液体と熱的に接触するように、加熱要素２５，２６の下流側の液体輸送ダクト内に埋め込まれる部分を有することもできる。この場合、自動調整ケーブルは、それ（それら）が１００℃に近づく温度に晒されるときに加熱要素の電力供給を遮断してパイプ内の蒸気の出現を防止するように寸法付けられ得る。
【００５９】
従来技術に係る加熱要素と直列に設置される自動調整ケーブル３０，３１は、ここでは、高価な電子機器を導入することなくサーモスタット機能を確保する。
【００６０】
図１２に示される他の変形例において、自動調整ケーブル３０ａ、３０ｂは、コネクタ４０の端子４０ａ、４０ｂと対応する加熱ワイヤ２５，２６の自由端との間の通常の導電ケーブルに完全に取って代わることができる。この構成は、特に、自動調整ケーブル３０ａごとに１つの圧着接続部４２ａ、４２ｂのみを使用できるようにし、それにより、大きさの問題を最小限に抑えることができる。
【図１】
2019503304.tif 000003
【図２】
2019503304.tif 000004
【図３】
2019503304.tif 000005
【図４】
2019503304.tif 000006
【図５】
2019503304.tif 000007
【図６】
2019503304.tif 000008
【図７】
2019503304.tif 000009
【図８】
2019503304.tif 000010
【図９】
2019503304.tif 000011
【図１０】
2019503304.tif 000012
【図１１】
2019503304.tif 000013
【図１２】
2019503304.tif 000014
【国際調査報告】
2019503304.tif 000015
2019503304.tif 000016
2019503304.tif 000017
2019503304.tif 000018